(57)【要約】【課題】  エッジ部を有するソフトドームタイプの振動板を用いたスピーカ装置において、ボイスコイルの適正な位置決めを可能にする。【解決手段】  ドーム形状の中央部２ａとその外周に形成されたエッジ部２ｂとからなる振動板２と、エッジ部２ｂの外縁が取り付けられるフレーム３と、中央部２ａの内側に設けられ、中央部２ａを支持するダンパ部材１０とを有する。ダンパ部材１０は、ボイスコイルボビン４の内面を支持して、ボイスコイル５を磁気ギャップｇ内の適正位置に位置決めする。【選択図】図２
2006238077.tif 000002
【特許請求の範囲】
【請求項１】
ドーム形状の中央部とその外周に形成されたエッジ部とからなる振動板と、前記エッジ部の外縁が取り付けられるフレームと、前記中央部の内側に設けられ、前記中央部を支持するダンパ部材とを有することを特徴とするスピーカ装置。
【請求項２】
前記中央部の内面に外周面上部が固着されるボイスコイルボビンと、該ボイスコイルボビンの外周面下部に巻き回されるボイスコイルとを備え、
前記ダンパ部材は、前記ボイスコイルボビンの内面を支持して、前記ボイスコイルを磁気ギャップ内の適正位置に位置決めすることを特徴とする請求項１に記載されたスピーカ装置。
【請求項３】
前記磁気ギャップがその外周面に沿って形成されるセンターポール部を備え、
該センターポール部の頂部に該センターポール部の中心と同心の円柱状支持部を有するリング状の前記ダンパ部材を設置し、該ダンパ部材の外面を前記ボイスコイルボビンの内面に固定することを特徴とする請求項２に記載されたスピーカ装置。
【発明の詳細な説明】
【技術分野】
【０００１】
本発明は、スピーカ装置に関するものである。
【背景技術】
【０００２】
ドーム形状の振動板を有するスピーカ装置は、小口径にできると共に良好な指向性を有する利点があり、携帯型のパーソナル音源等に広く普及している。
【０００３】
このドーム形状の振動板を有するスピーカ装置では、振動板の外周部分にエッジ部を設けて、このエッジ部の外縁をフレームに取り付ける構造とした場合には、エッジ部とドーム形状の中央部との逆共振によって中音域で音圧レベルが凹む周波数特性の乱れが生じることが知られている。これを改善する一つの手段として、エッジ部を含む振動板の材質に可撓性を有する素材を採用したソフトドームと呼ばれる振動板が採用されている。このソフトドームを使用したスピーカでは、エッジ部での振動を利用して、固有音を可聴帯域内にすると共にピークを極力押させるように設計することで、中音域での特性乱れを改善している。
【０００４】
このソフトドームタイプの振動板としては、綿，絹，化繊等の布類に樹脂を含浸させて加熱成形したもの、発泡性樹脂による成形品等があるが、下記特許文献１には、オレフィン系エラストマー変性ナイロン樹脂フィルムにより成形されたものが記載されている。
【０００５】
このようなエッジ部を有するドーム形状の振動板を有するスピーカ装置の従来の構造を図１に示す。スピーカ装置Ｊ１は、振動板Ｊ２を有するが、この振動板Ｊ２は、ドーム形状の中央部Ｊ２ａとその外周に形成されるエッジ部Ｊ２ｂからなり、エッジ部Ｊ２ｂの外縁がフレームＪ３に取り付けられている。中央部Ｊ２ａはボイスコイルボビンＪ４の外周面上部に固着されており、このボイスコイルボビンＪ４の外周面下部にボイスコイルＪ５が巻き回されている。そして、上部プレートＪ６，マグネットＪ７，ヨークＪ８によって磁気回路が形成され、上部プレートＪ６の内面とヨークＪ８におけるセンターポール部Ｊ８ａの外面との間に形成される磁気ギャップＪｇ内に、前述のボイスコイルＪ５が配置されている。
【０００６】
【特許文献１】特開平８−２４２４９７号公報
【発明の開示】
【発明が解決しようとする課題】
【０００７】
このような従来のスピーカ装置Ｊ１によると、磁気ギャップＪｇ内でのボイスコイルＪ５の位置決めは、エッジ部Ｊ２ｂのフレームＪ３への取り付けによる支持と振動板Ｊ２自身の形状保持機能に任せており、振動板自身の形状保持機能の低い前述したソフトドーム、特にエッジ部Ｊ２ｂが広いものでは、ボイスコイルＪ５を磁気ギャップＪｇにおける上下の適正位置に保持するのが困難である。
【０００８】
特に、磁気ギャップＪｇ内に磁性流体が入っているものでは、この磁性流体の比重とボイスコイルＪ５及びボイスコイルボビンＪ４の比重との関係で、ボイスコイルＪ５が正規の位置に定まらないという問題が生じる。
【０００９】
そして、エッジ部Ｊ２ｂを有するソフトドームタイプの振動板Ｊ２では、エッジ部Ｊ２ｂの大きさで共振周波数の調整を行うために、エッジ部Ｊ２ｂを大きくする場合、これによって更にボイスコイルＪ５の位置決めが困難になる問題が生じる。
【００１０】
これに対して、従来技術のように振動板の材質変更で振動板自身の形状保持機能を高めることも考えられるが、これによると、材質がある程度特定されてしまうので、振動板材質による周波数特性の設計自由度を狭めることになり、また、所望の特性を有し且つ十分な形状保持機能を有する材質の設計は極めて困難であるから、このような材質設計によって振動板のコストアップを招くことが懸念される。
【００１１】
本発明は、このような問題に対処することを課題の一例とするものである。すなわち、特に、エッジ部を有するソフトドームタイプの振動板を用いたスピーカ装置において、ボイスコイルの適正な位置決めを可能にすること、エッジ部の大きさを利用した振動板の周波数調整が可能であること、材質選択による特性設計の自由度を高め、振動板のコストアップを招かないこと、等が本発明の目的である。
【課題を解決するための手段】
【００１２】
このような目的を達成するために、本発明によるスピーカ装置は、以下の独立請求項に係る構成を少なくとも具備するものである。
【００１３】
［請求項１］ドーム形状の中央部とその外周に形成されたエッジ部とからなる振動板と、前記エッジ部の外縁が取り付けられるフレームと、前記中央部の内側に設けられ、前記中央部を支持するダンパ部材とを有することを特徴とするスピーカ装置。
【発明を実施するための最良の形態】
【００１４】
以下、本発明の実施形態を図面を参照して説明する。図２は本発明の一実施形態に係るスピーカ装置の構造を示す説明図（同図（ａ）は断面図、同図（ｂ）は詳細説明図）である。
【００１５】
本発明の実施形態に係るスピーカ装置１は、振動板２を有し、この振動板２は、ドーム形状の中央部２ａとその外周に形成されたエッジ部２ｂからなり、エッジ部２ｂの外縁がフレーム３に取り付けられている。中央部２ａはその内面がボイスコイルボビン４の外周面上部に固着されており、このボイスコイルボビン４の外周面下部にボイスコイル５が巻き回されている。
【００１６】
また、上部プレート６，マグネット７，ヨーク８によって磁気回路が形成され、上部プレート６の内面とヨーク８におけるセンターポール部８ａの外面との間に形成される磁気ギャップｇ内に、ボイスコイル５が配置されている。
【００１７】
そして、本発明の実施形態に係るスピーカ装置１は、振動板２における中央部２ａの内側に設けられ、中央部２ａを支持するダンパ部材１０を有する。このダンパ部材１０は、ボイスコイルボビン４の内面を支持して、ボイスコイル５を磁気ギャップｇ内の適正位置に位置決めするものであって、ゴム等の弾性部材によって形成することができる。
【００１８】
更に、具体的には、磁気ギャップｇがその外周面に沿って形成されるセンターポール部８ａの頂部に、センターポール部８ａの中心Ｏと同心の円柱状支持部１０Ａを有するリング状のダンパ部材１０を設置し、このダンパ部材１０の外面をボイスコイルボビン４の内面に固定している。
【００１９】
このような本発明の実施形態に係るスピーカ装置１によると、振動板２の中央部２ａを内側から支持するダンパ部材１０を有するので、振動板２自身の形状保持機能が高くないソフトドームタイプの場合であっても、中央部２ａの位置決めを容易に行うことができる。
【００２０】
そして、このダンパ部材１０は、ボイスコイルボビン４の内面を支持して、ボイスコイル５を磁気ギャップｇ内の適正位置に位置決めしているので、ボイスコイル５の上下振幅のバランスを適正に保つことができ、歪みのない振動を得ることができる。また、磁気ギャップｇ内に磁性流体が充填されている場合であっても、磁性流体やボイスコイル５等の比重に拘わらず、ボイスコイル５の位置を適正に保つことができる。
【００２１】
更には、ダンパ部材１０をリング状にして、その中心とセンターポール部８ａの中心Ｏが一致するように支持しているので、ボイスコイルボビン４（即ちその外周面に巻き回されたボイスコイル５）又はこれに固定された振動板２の中心部２ａは、エッジ部２ｂの大きさとは無関係に常にセンターポール８ａの中心に位置することができる。
【００２２】
これによって、エッジ部２ｂが大型化したものであっても、実動作時のセンターズレを回避することができ、ボイスコイル５を正規な位置に保持した適正な振動を実現することができ、更に、製品の破損防止や音質の良化等、エンドユーザの満足度を向上させることができる。
【００２３】
ダンパ部材１０の支持構造を、図２（ｂ）に基づいて更に具体的に説明する。センターポール部８ａの中心部には、中心Ｏと同心の円柱開口８ｂが形成されており、この円柱開口８ｂ上のセンターポール部８ａの頂部にダンパ部１０の支持部１０Ａが載置される。
【００２４】
また、ダンパ部材１０の天面形状を工夫することにより、ダンパ部材１０と振動板中央部２ａの間の空間内での定在波を低減するための吸音材１１等を必要に応じて装着することができ、更に良好な特性を得ることができる。
【００２５】
また他の形態としては、図３（図１と重複付する箇所には同一符号を付して重複説明を省略する）に示すように、ダンパ部材１０の天面に凸部１０Ｂを設けて、振動板中央部２ａが指等で押された時の外力に対してのストッパ機能を付加することもできる。或いは、特に凸部１０Ｂを設けることなく、ダンパ部材１０の天面高さを高くすることによって同様のストッパ機能を持たせることもできる。これによって、振動板中央部２ａの変形が防止され、店頭展示の際等における製品の破壊を防ぐことが可能になる。
【００２６】
このような本発明の実施形態によると、エッジ部２ｂを有するソフトドームタイプの振動板２を用いたスピーカ装置１において、ボイスコイル５を適正に位置決めすることができる。また、エッジ部２ｂの大きさとは無関係に中央部２ａ又はボイスコイル５の位置決めが可能であるから、エッジ部の大きさを利用した所望の周波数特性を設計することができる。更には、振動板２の材質によらないから、材質選択による特性設計の自由度を高めることができると共に、低コストの振動板を採用することができる。
【図面の簡単な説明】
【００２７】
【図１】従来技術の説明図である。
【図２】本発明の一実施形態に係るスピーカ装置の構造を示す説明図（同図（ａ）は断面図、同図（ｂ）は詳細説明図）である。
【図３】本発明の一実施形態に係るスピーカ装置の構造を示す説明図である。
【符号の説明】
【００２８】
１    スピーカ装置
２    振動板
２ａ    中央部
２ｂ    エッジ部
３    フレーム
４    ボイスコイルボビン
５    ボイスコイル
６    上部プレート
７    マグネット
８    ヨーク
８ａ    センターポール部
８ｂ    円柱開口部
１０    ダンパ部材
１０Ａ    支持部
１０Ｂ    凸部
ｇ    磁気ギャップ
【図１】
2006238077.tif 000003
【図２】
2006238077.tif 000004
【図３】
2006238077.tif 000005